(57)【要約】【課題】入力者が画面を注視することなく正確に文字を入力することのできる文字入力装置を提供することにある。【解決手段】複数の文字に対応した読みが登録された音声データベース１と、手動操作されるキー２と、キー２の押下に対応した操作文字を入力するキー入力部３と、キー入力部３の出力に応答して操作文字を表示するディスプレイ４と、音声データベース１から操作文字の読みを検索するとともに、読みを音声合成して出力する音声処理部５と、音声合成された読みを出力するスピーカ６と、操作文字をディスプレイ４に表示させるとともに、音声処理部５を介して操作文字の読みをスピーカ６に出力させる制御部７とを備えたものである。【選択図】図１
2006260210.tif 000002
【特許請求の範囲】
【請求項１】
複数の文字に対応した読みが登録された音声データベースと、
手動操作されるキーと、
前記キーの押下に対応した操作文字を入力するキー入力手段と、
前記キー入力手段の出力に応答して前記操作文字を表示する表示手段と、
前記音声データベースから前記操作文字の読みを検索するとともに、前記読みを音声合成して出力する音声処理手段と、
前記音声合成された読みを出力する音声出力手段と、
前記操作文字を前記表示手段に表示させるとともに、前記音声処理手段を介して前記操作文字の読みを前記音声出力手段に出力させる制御手段と
を備えたことを特徴とする文字入力装置。
【請求項２】
前記制御手段は、前記操作文字が複数個集まった文字列が単語を構成した場合に、前記単語の読みを前記音声出力手段に出力させることを特徴とする請求項１に記載の文字入力装置。
【請求項３】
前記制御手段は、前記操作文字が複数個集まった文字列が文節を構成した場合に、前記文節の読みを前記音声出力手段に出力させることを特徴とする請求項１または請求項２に記載の文字入力装置。
【請求項４】
前記キー入力手段は、前記操作文字を漢字に変換する漢字変換キーを含み、
前記制御手段は、前記漢字変換キーが押下された場合に、前記操作文字の変換候補の漢字の説明を前記音声出力手段に出力させることを特徴とする請求項１から請求項３までの何れか１項に記載の文字入力装置。
【請求項５】
前記キー入力手段は、前記操作文字の子音を選択する子音選択キーと、前記操作文字の母音を選択する母音選択キーと、前記子音選択キーおよび前記母音選択キーによって選択された操作文字を決定する決定キーとを含むことを特徴とする請求項１から請求項４までの何れか１項に記載の文字入力装置。
【請求項６】
前記キー入力手段は、車両のステアリングホイールに設けられることを特徴とする請求項１から請求項５までの何れか１項に記載の文字入力装置。
【発明の詳細な説明】
【技術分野】
【０００１】
この発明は、キーの押下によって文字を入力する文字入力装置に関する。
【背景技術】
【０００２】
従来の文字入力装置は、押下によって文字入力を行う複数のキー群からなるキー入力手段と、入力した文字を表示する第１表示手段とを具備した文字入力装置において、キー群の表面に設けられ、人体の接触を検出するキー接触検出手段と、キー接触検出手段の検出信号に基づいてこれから入力される文字を表示する第２表示手段とを備えることで、キー押下による入力前にキーに触れたことを検出し、あらかじめ入力しようとする文字の確認を可能にしている（例えば、特許文献１参照）。
【０００３】
【特許文献１】特開２００１−１４７７６４号公報
【発明の開示】
【発明が解決しようとする課題】
【０００４】
従来の文字入力装置では、操作者は、文字入力を行う場合に画面に表示される文字候補を目で確認しながら文字を選択あるいは決定する必要があった。そのため、歩行中等に文字入力を行う場合は、視線の移動が多くなり、文書作成に要する時間が増えるという問題点があった。
また、視線の移動が多くなるため、入力した文字の視認に費やせる時間が短くなり、誤入力や誤変換が多くなるという問題点もあった。
【０００５】
この発明は、上記のような問題点を解決することを課題とするものであって、その目的は、操作者が画面を注視することなく、かつ正確に文字を入力することのできる文字入力装置を提供することにある。
【課題を解決するための手段】
【０００６】
この発明に係る文字入力装置は、複数の文字に対応した読みが登録された音声データベースと、手動操作されるキーと、キーの押下に対応した操作文字を入力するキー入力手段と、キー入力手段の出力に応答して操作文字を表示する表示手段と、音声データベースから操作文字の読みを検索するとともに、読みを音声合成して出力する音声処理手段と、音声合成された読みを出力する音声出力手段と、操作文字を表示手段に表示させるとともに、音声処理手段を介して操作文字の読みを音声出力手段に出力させる制御手段とを備えたものである。
【発明の効果】
【０００７】
この発明の文字入力装置によれば、操作文字の読みが音声で出力されるので、操作者が画面を注視することなく、かつ正確に文字を入力することができる。
【発明を実施するための最良の形態】
【０００８】
以下、この発明の各実施の形態について図に基づいて説明するが、各図において同一、または相当する部材、部位については、同一符号を付して説明する。
【０００９】
実施の形態１．
図１は、この発明の実施の形態１に係る文字入力装置を示すブロック図である。
図１において、この文字入力装置は、複数の文字に対応した読みが登録された音声データベース１と、手動操作されるキー２と、キー２の押下に対応した操作文字を入力するキー入力部３（キー入力手段）と、キー入力部３の出力に応答して操作文字を表示するディスプレイ４（表示手段）と、音声データベース１から操作文字の読みを検索するとともに、読みを音声合成して出力する音声処理部５（音声処理手段）と、音声合成された読みを出力するスピーカ６（音声出力手段）と、操作文字をディスプレイ４に表示させるとともに、音声処理部５を介して操作文字の読みをスピーカ６に出力させる制御部７（制御手段）とを備えている。
ここで、操作文字とは、キー２の押下によって入力される文字を示すものとする。
【００１０】
キー２は、「１〜９、０」の数字キー２ａと、「＊（アスタリスク）」キー２ｂと、「変換」キー２ｃ（漢字変換キー）と、「決定」キー２ｄと、「♯（シャープ）」キー２ｅとを有している。「１〜９、０」の数字キー２ａには、それぞれア行からワ行までの文字が割り当てられている。「＊」キー２ｂには、濁点、半濁点および小文字が割り当てられている。「変換」キー２ｃは、入力された単数または複数の操作文字を変換する。「決定」キー２ｄは、入力された操作文字および変換された操作文字を決定する。
【００１１】
例えば「ぼ」という文字を入力する場合、操作者は、ハ行が割り当てられた「６」の数字キー２ａを１度押下する。するとディスプレイ４には、操作文字「は」が表示される。次に、操作者は、「６」の数字キー２ａを続けて押下する。すると、ディスプレイ４には、「ひ」、「ふ」、「へ」、「ほ」と同じ行の異なる段の操作文字が順次表示され、「ほ」という操作文字を選択することができる。
続いて、操作者は、「＊」キー２ｂを押下する。すると、ディスプレイ４に表示されている「ほ」に濁点が付けられて、ディスプレイ４には、「ぼ」が表示される。
ここで、操作者は、「決定」キー２ｄを押下することにより、「ぼ」という操作文字が決定される。
【００１２】
また、音声処理部５は、プログラムを格納した記憶部とＣＰＵとを有するマイクロコンピュータ（図示せず）で構成されている。
【００１３】
制御部７は、演算処理装置であるＣＰＵ７ａと、記憶装置であるメモリ７ｂと、一時的にデータを保存するレジスタ７ｃとを有している。メモリ７ｂには、入力された単数または複数の操作文字を変換する文字変換プログラム（図示せず）と、単語と漢字の説明とが登録された辞書データベース（図示せず）とが組み込まれている。
入力された操作文字は、「変換」キー２ｃを押下されることにより、制御部７で、文字変換プログラムと辞書データベースとによって文節毎に区切られて漢字仮名交じり文に変換される。変換された漢字仮名交じり文は、ディスプレイ４および音声処理部５に出力される。
【００１４】
以下、上記構成の文字入力装置についての動作を説明する。
図２は、この発明の実施の形態１に係る文字入力装置の具体的な動作例を示す説明図である。図２では、「けいたい」という文字を入力する場合の動作を示す。
【００１５】
まず、図２（ａ）に示すように、操作者がカ行の文字が割り当てられている「２」の数字キー２ａを１度押下すると、制御部７には、キー入力部３から操作文字「か」が入力される。制御部７は、ディスプレイ４および音声処理部５に操作文字「か」を出力する。ディスプレイ４には、操作文字「か」が表示される。音声処理部５は、操作文字「か」に対応する読みを音声データベース１に照会する。音声データベース１から、操作文字「か」に対応する読みが音声処理部５に出力され、スピーカ６からは、操作文字「か」が発音される。ここで、入力された操作文字「か」は、レジスタ７ｃに記憶される。
【００１６】
次に、操作者が「２」の数字キー２ａをもう１度押下すると、制御部７には、キー入力部３から操作文字「き」が入力される。上記と同様の手順で、ディスプレイ４には、操作文字「き」が表示され、スピーカ６からは、操作文字「き」が発音される。ここで、入力された操作文字「き」は、レジスタ７ｃに記憶された上記の操作文字「か」に上書きされる。
以下、同様にして操作者が「２」の数字キー２ａを連続して押下することにより、ディスプレイ４には、操作文字「く」、「け」が順次表示され、スピーカ６からは、操作文字「く」、「け」が順次発音される。ここで、レジスタ７ｃには、操作文字「け」が記憶されている。
【００１７】
続いて、図２（ｂ）に示すように、操作者がア行の文字が割り当てられている「１」の数字キー２ａを１度押下すると、制御部７には、キー入力部３から操作文字「あ」が入力される。上記と同様の手順で、ディスプレイ４には、上記の操作文字「け」に続いて操作文字「あ」が表示され、スピーカ６からは、操作文字「あ」が発音される。ここで、入力された操作文字「あ」は、レジスタ７ｃに記憶された上記の操作文字「け」の後に付けられる。レジスタ７ｃには、文字列「けあ」が記憶されている。
【００１８】
次に、操作者が「１」の数字キー２ａをもう１度押下すると、上記と同様の手順で、ディスプレイ４には、上記の操作文字「け」に続いて操作文字「い」が表示され、スピーカ６からは、操作文字「い」が発音される。ここで、入力された操作文字「い」は、レジスタ７ｃに記憶された上記の文字列「けあ」の「あ」に上書きされる。レジスタ７ｃには、文字列「けい」が記憶されている。
【００１９】
以下、同様にして、図２（ｃ）に示すように、操作者がタ行の文字が割り当てられている「４」の数字キー２ａを１度押下することにより、ディスプレイ４には、上記の文字列「けい」に続いて操作文字「た」が表示され、スピーカ６からは、操作文字「た」が発音される。ここで、レジスタ７ｃには、文字列「けいた」が記憶されている。
【００２０】
また、図２（ｄ）に示すように、操作者がア行の文字が割り当てられている「１」の数字キー２ａを２度押下することにより、ディスプレイ４には、上記の文字列「けいた」に続いて操作文字「い」が表示され、スピーカ６からは、操作文字「い」が発音される。ここで、レジスタ７ｃには、文字列「けいたい」が記憶されている。
続いて、操作者が「決定」キー２ｄを押下することにより、入力された文字列が決定され、レジスタ７ｃに記憶された内容がリセットされる。
【００２１】
これにより、操作者は、ディスプレイ４を見ることなく、文字列「けいたい」が決定されたことを認識することができる。
【００２２】
図３は、この発明の実施の形態１に係る文字入力装置の文字入力時のディスプレイ４を示す説明図である。図３は、「けいたいでんわ」という文字を入力する場合において、文字列が単語を構成した際に、制御部７がスピーカ６に単語の読みを出力させる動作を説明する。
【００２３】
まず、図２に示した手順と同様にして、操作者が操作文字「け」、「い」、「た」、「い」を入力する。ディスプレイ４には、文字列「けいたい」が表示され、スピーカ６からは、操作文字「け」、「い」、「た」、「い」が順次発音される。レジスタ７ｃには、文字列「けいたい」が記憶されている。
ここで、制御部７は、レジスタ７ｃに記憶された文字列「けいたい」が「形態、携帯、・・・」という単語を構成することを辞書データベースに基づいて検出し、音声処理部５に文字列「けいたい」を出力する。音声処理部５は、文字列「けいたい」に対応する読みを音声データベース１に照会する。音声データベース１から、文字列「けいたい」に対応する読みが音声処理部５に出力され、スピーカ６からは、文字列「けいたい」が発音される。
【００２４】
続いて、同様にして、操作者が操作文字「で」、「ん」、「わ」を入力する。ディスプレイ４には、文字列「けいたいでんわ」が表示され、スピーカ６からは、操作文字「で」、「ん」、「わ」が順次発音される。レジスタ７ｃには、文字列「けいたいでんわ」が記憶されている。
ここで、制御部７は、レジスタ７ｃに記憶された文字列「けいたいでんわ」が「携帯電話」という単語を構成することを検出し、音声処理部５に文字列「けいたいでんわ」を出力する。上記と同様の手順で、スピーカ６からは、文字列「けいたいでんわ」が発音される。
【００２５】
これにより、操作者は、単語単位で入力された文字を認識することができるので、さらに正確に文字入力をすることができる。
【００２６】
図４は、この発明の実施の形態１に係る文字入力装置の文字入力時のディスプレイ４を示す別の説明図である。図４は、「ほんじつはせいてんなり」という文字を入力する場合において、文字列が文節を構成した際に、制御部７がスピーカ６に文節の読みを出力させる動作を説明する。
【００２７】
まず、図２に示した手順と同様にして、操作者が操作文字「ほ」、「ん」を入力する。ディスプレイ４には、文字列「ほん」が表示され、スピーカ６からは、操作文字「ほ」、「ん」が順次発音される。レジスタ７ｃには、文字列「ほん」が記憶されている。
ここで、制御部７は、レジスタ７ｃに記憶された文字列「ほん」が「本、・・・」という単語を構成することを検出し、音声処理部５に文字列「ほん」を出力する。上記と同様の手順で、スピーカ６からは、文字列「ほん」が発音される。
【００２８】
続いて、同様にして、操作者が操作文字「じ」、「つ」を入力する。ディスプレイ４には、文字列「ほんじつ」が表示され、スピーカ６からは、操作文字「じ」、「つ」が順次発音される。レジスタ７ｃには、文字列「ほんじつ」が記憶されている。
ここで、制御部７は、レジスタ７ｃに記憶された文字列「ほんじつ」という文字が「本日」という単語を構成することを検出し、音声処理部５に文字列「ほんじつ」を出力する。上記と同様の手順で、スピーカ６からは、文字列「ほんじつ」が発音される。
【００２９】
次に、同様にして、操作者が操作文字「は」を入力する。ディスプレイ４には、文字列「ほんじつは」が表示され、スピーカ６からは、操作文字「は」が順次発音される。レジスタ７ｃには、文字列「ほんじつは」が記憶されている。
ここで、制御部７は、レジスタ７ｃに記憶された文字列「ほんじつは」が「本日は」という文節を構成することを検出し、音声処理部５に文字列「ほんじつは」を出力する。上記と同様の手順で、スピーカ６からは、文字列「ほんじつは」が発音される。
【００３０】
続いて、同様にして、操作者が操作文字「せ」、「い」、「て」、「ん」を入力する。ディスプレイ４には、文字列「ほんじつはせいてん」が表示され、スピーカ６からは、操作文字「せ」、「い」、「て」、「ん」が順次発音される。レジスタ７ｃには、文字列「ほんじつはせいてん」が記憶されている。
ここで、制御部７は、レジスタ７ｃに記憶された文字列「ほんじつはせいてん」のうち、文字列「せいてん」が「晴天」という単語を構成することを検出し、音声処理部５に文字列「せいてん」を出力する。上記と同様の手順で、スピーカ６から文字列「せいてん」が発音される。
【００３１】
また、同様に、操作者が操作文字「な」、「り」を入力する。ディスプレイ４には、文字列「ほんじつはせいてんなり」が表示され、スピーカ６からは、操作文字「な」、「り」が順次発音される。レジスタ７ｃには、文字列「ほんじつはせいてんなり」が記憶されている。
ここで、制御部７は、レジスタ７ｃに記憶された文字列「ほんじつはせいてんなり」のうち、文字列「せいてんなり」が「晴天なり」という文節を構成することを検出し、音声処理部５に文字列「せいてんなり」を出力する。上記と同様の手順で、スピーカ６から文字列「せいてんなり」が発音される。
【００３２】
これにより、操作者は、文節単位で選択された文字を認識することができるので、さらに正確に文字入力をすることができる。
【００３３】
図５は、この発明の実施の形態１に係る文字入力装置の文字入力時のディスプレイ４を示すさらに別の説明図である。図５は、「けいたいでんわ」という文字を入力する場合において、操作文字が漢字変換された際に、制御部７がスピーカ６に漢字の説明を出力させる動作を説明する。
【００３４】
まず、図２に示した手順と同様にして、操作者が操作文字「け」、「い」、「た」、「い」を入力する。ディスプレイ４には、文字列「けいたい」が表示され、スピーカ６からは、操作文字「け」、「い」、「た」、「い」が順次発音される。レジスタ７ｃには、文字列「けいたい」が記憶されている。
ここで、制御部７は、レジスタ７ｃに記憶された文字列「けいたい」が「形態、携帯、・・・」という単語を構成することを検出し、音声処理部５に文字列「けいたい」を出力する。上記と同様の手順で、スピーカ６からは、文字列「けいたい」が発音される。
【００３５】
ここで、操作者が「変換」キー２ｃを押下すると、制御部７は、文字列「けいたい」を文字変換し、例えば「形態」という変換候補の単語を得る。制御部７は、ディスプレイ４に変換候補の単語「形態」を出力する。ディスプレイ４には、単語「形態」が表示される。
続いて、制御部７は、辞書データベースから単語「形態」のそれぞれの漢字の説明を取り出し、音声処理部５に例えば「形状のケイ、態度のタイ、でケイタイ」という説明文を出力する。上記と同様の手順で、スピーカ６からは、説明文「形状のケイ、態度のタイ、でケイタイ」が発音される。
この説明により、操作者は、目的の「携帯」という単語ではなく、「形態」という単語がディスプレイ４に表示されていることを知ることができる。
【００３６】
ここで、操作者が、もう１度「変換」キー２ｃを押下すると、制御部７は、変換候補の単語「形態」をもう１度文字変換し、例えば「携帯」という次の候補文字の単語を得る。制御部７は、ディスプレイ４に単語「携帯」を出力する。ディスプレイ４には、単語「携帯」が表示される。
続いて、制御部７は、辞書データベースから単語「携帯」のそれぞれの漢字の説明を取り出し、音声処理部５に例えば「携えるのケイ、帯（おび）のタイ、でケイタイ」という説明文を出力する。上記と同様の手順で、スピーカ６からは、説明文「携えるのケイ、帯のタイ、でケイタイ」が発音される。
【００３７】
この説明により、操作者は、目的の「携帯」という単語がディスプレイ４に表示されていることを知ることができる。
続いて、操作者が「決定」キー２ｄを押下すると、単語「携帯」が決定され、レジスタ７ｃに記憶された内容がリセットされる。制御部７は、音声処理部５に決定した単語「携帯」を出力する。上記と同様の手順で、スピーカ６からは、単語「携帯」が発音される。
【００３８】
また、同様に、操作者が操作文字「で」、「ん」、「わ」を入力する。ディスプレイ４には、文字列「でんわ」が表示され、スピーカ６からは、操作文字「で」、「ん」、「わ」が順次発音される。レジスタ７ｃには、文字列「でんわ」が記憶されている。
【００３９】
ここで、操作者が「変換」キー２ｃを押下すると、制御部７は、文字列「でんわ」を文字変換し、例えば「でんわ」という変換候補の単語を得る。制御部７は、ディスプレイ４に変換候補の単語「電話」を出力する。ディスプレイ４には、単語「電話」が表示される。
続いて、制御部７は、辞書データベースから単語「電話」のそれぞれの漢字の説明を取り出し、音声処理部５に例えば「電気のデン、会話のワ、でデンワ」という説明文を出力する。上記と同様の手順で、スピーカ６からは、説明文「電気のデン、会話のワ、でデンワ」が発音される。
【００４０】
この説明により、操作者は、目的の「電話」という単語がディスプレイ４に表示されていることを知ることができる。
続いて、操作者が「決定」キー２ｄを押下すると、単語「電話」が決定され、レジスタ７ｃに記憶された内容がリセットされる。制御部７は、音声処理部５に決定した単語「電話」を出力する。上記と同様の手順で、スピーカ６からは、単語「電話」が発音される。
【００４１】
これにより、操作者は、漢字の意味を音声によって認識することができるので、正確な漢字入力をすることができる。
【００４２】
この発明の実施の形態１に係る文字入力装置によれば、操作文字、文字列、漢字の説明および単語を音声で出力するので、操作者が画面に表示される文字候補を目で確認しながら文字を選択および決定する必要がなく、かつ短時間で正確に文字を入力することができる。
【００４３】
実施の形態２．
図６は、この発明の実施の形態２に係る文字入力装置のキー入力部３Ａが取り付けられた自動車のステアリング２１を示す斜視図である。また、図７は、図６のキー入力部３Ａを示すブロック図である。
図６および図７において、この文字入力装置のキー入力部３Ａは、自動車のステアリング２１に設けられている。キー入力部３Ａは、ステアリング２１の右手裏に取り付けられた母音選択用の母音キー８および文字決定用の決定キー９と、ステアリング２１の左手裏に取り付けられた子音選択用の子音キー１０とを有している。また、ディスプレイ４（図１参照）は、自動車のメータインスツルメントパネルに取り付けられている。
【００４４】
母音キー８、決定キー９および子音キー１０の信号線は、ステアリング２１のスリップリング２２を介して、ステアリングコラム（図示せず）へと配線されている。
母音キー８および子音キー１０は、それぞれシーソー形状を有しており、通常は中立の位置にあるが、左右両端を押し分けることができるようになっている。ここで、ステアリング２１に向かって母音キー８および子音キー１０の左端が押されれば順方向、右端が押されれば逆方向に押下されたものとする。その他の構成については、実施の形態１と同様であり、その説明は省略する。
【００４５】
以下、上記構成の文字入力装置についての動作を図１を参照して説明する。
ここでは、「こんにちは」という文字を入力する場合の動作を示す。
まず、操作者が子音キー１０を順方向に１度押下すると、制御部７には、キー入力部３Ａから操作文字「あ」が入力される。制御部７は、ディスプレイ４および音声処理部５に操作文字「あ」を出力する。ディスプレイ４には、操作文字「あ」が表示される。音声処理部５は、操作文字「あ」に対応する読みを音声データベース１に照会する。音声データベース１から、操作文字「あ」に対応する読みが音声処理部５に出力され、スピーカ６からは、操作文字「あ」が発音される。ここで、入力された操作文字「あ」は、レジスタ７ｃに記憶される。
【００４６】
続いて、操作者が子音キー１０を順方向にもう１度押下すると、制御部７には、操作文字「か」が入力される。上記と同様の手順で、ディスプレイ４には、操作文字「か」が表示され、スピーカ６からは、操作文字「か」が発音される。ここで、入力された操作文字「か」は、レジスタ７ｃに記憶された上記の操作文字「あ」に上書きされる。
【００４７】
次に、操作者が母音キー８を順方向に１度押下すると、制御部７には、操作文字「き」が入力される。上記と同様の手順で、ディスプレイ４には、操作文字「き」が表示され、スピーカ６からは、操作文字「き」が発音される。ここで、入力された操作文字「き」は、レジスタ７ｃに記憶された上記の操作文字「か」に上書きされる。
【００４８】
以下、同様にして操作者が母音キー８を連続して順方向に押下することにより、ディスプレイ４には、操作文字「く」、「け」、「こ」が順次表示され、スピーカ６からは、操作文字「く」、「け」、「こ」が順次発音される。ここで、レジスタ７ｃには、操作文字「こ」が記憶されている。
ここで、操作者が母音キー８を逆方向に押下すると、ディスプレイ４には、操作文字「け」、「く」、「き」・・・と逆順に表示され、スピーカ６からは、操作文字「け」、「く」、「き」・・・が逆順に発音される。
操作者は、ディスプレイ４に操作文字「こ」が表示され、スピーカ６から操作文字「こ」が発音された場合に、決定キー９を押下する。決定キー９が押下されることにより、入力された文字が決定され、レジスタ７ｃに記憶された内容がリセットされる。
【００４９】
続いて、操作者が子音キー１０を逆方向に１度押下すると、制御部７には、操作文字「あ」が入力される。上記と同様の手順で、ディスプレイ４には、上記の決定された文字「こ」に続いて操作文字「あ」が表示され、スピーカ６からは、操作文字「あ」が発音される。ここで、入力された操作文字「あ」は、レジスタ７ｃに記憶される。
次に、操作者が子音キー１０を逆方向にもう１度押下すると、制御部７には、操作文字「ん」が入力される。上記と同様の手順で、ディスプレイ４には、上記の決定された文字「こ」に続いて操作文字「ん」が表示され、スピーカ６からは、操作文字「ん」が発音される。ここで、入力された操作文字「ん」は、レジスタ７ｃに記憶された上記の操作文字「あ」に上書きされる。
操作者は、ここで決定キー９を押下する。決定キー９が押下されることにより、入力された文字が決定される。
【００５０】
以下、同様に操作者が子音キー１０を順方向に５度押下することにより、ディスプレイ４には、上記の決定された文字「こん」に続いて操作文字「あ」、「か」、「さ」、「た」、「な」が順次表示され、スピーカ６からは、操作文字「あ」、「か」、「さ」、「た」、「な」が順次発音される。ここで、レジスタ７ｃには、操作文字「な」が記憶されている。
続いて、操作者が母音キー８を順方向に１度押下すると、制御部７には、操作文字「に」が入力される。上記と同様の手順で、ディスプレイ４には、上記の決定された文字「こん」に続いて操作文字「に」が表示され、スピーカ６からは、操作文字「に」が発音される。ここで、入力された操作文字「に」は、レジスタ７ｃに記憶された上記の操作文字「な」に上書きされる。
操作者は、ここで決定キー９を押下する。決定キー９が押下されることにより、入力された文字が決定される。
【００５１】
以下、同様に操作者が子音キー１０を順方向に４度押下することにより、ディスプレイ４には、上記の決定された文字「こんに」に続いて操作文字「あ」、「か」、「さ」、「た」が順次表示され、スピーカ６からは、操作文字「あ」、「か」、「さ」、「た」が順次発音される。ここで、レジスタ７ｃには、操作文字「た」が記憶されている。
続いて、操作者が母音キー８を順方向に１度押下すると、制御部７には、操作文字「ち」が入力される。上記と同様の手順で、ディスプレイ４には、上記の決定された文字「こんに」に続いて操作文字「ち」が表示され、スピーカ６からは、操作文字「ち」が発音される。ここで、入力された操作文字「ち」は、レジスタ７ｃに記憶された上記の操作文字「た」に上書きされる。
操作者は、ここで決定キー９を押下する。決定キー９が押下されることにより、入力された文字が決定される。
【００５２】
最後に、操作者が子音キー１０を順方向に６度押下することにより、ディスプレイ４には、上記の決定された文字「こんにち」に続いて操作文字「あ」、「か」、「さ」、「た」、「な」、「は」が順次表示され、スピーカ６からは、操作文字「あ」、「か」、「さ」、「た」」、「な」、「は」が順次発音される。ここで、レジスタ７ｃには、操作文字「は」が記憶されている。
操作者は、ここで決定キー９を押下する。決定キー９が押下されることにより、入力された文字が決定される。
【００５３】
この発明の実施の形態２に係る文字入力装置によれば、ステアリング２１に設けられたキー入力部３を用いて操作文字を入力し、また操作文字を音声で出力することができる。そのため、操作者がステアリング２１から手を離したり、画面に表示される文字候補を目で確認しながら文字を選択および決定したりする必要がなく、短時間で正確に文字を入力することができる。
【００５４】
なお、上記実施の形態２において、ディスプレイは、メータインスツルメントパネルに取り付けられているとして説明したが、勿論このものに限定されるものではなく、ダッシュボードやセンターパネルに取り付けられていてもよい。この場合も上記と同様の効果を奏することができる。
【００５５】
また、自動車に文字入力装置を搭載する場合、ディスプレイの画面が太陽光の反射などによって見づらいことがあるが、上記実施の形態２に示した文字入力装置によれば、音声で入力内容を確認することができるので、高輝度のディスプレイを用いる必要がなく、コストダウンを図ることができる。
【００５６】
また、自動車のメータインスツルメントパネル、ダッシュボード、およびセンターパネルなどはスペースが限られており、大きなディスプレイを確保できないが、上記実施の形態２に示した文字入力装置によれば、大きなディスプレイを必要としないために、車両への搭載性が向上する。
また、スピーカは、カーステレオやカーナビゲーションのスピーカを兼用することができるので、コストダウンを図ることができる。
【図面の簡単な説明】
【００５７】
【図１】この発明の実施の形態１に係る文字入力装置を示すブロック図である。
【図２】（ａ）〜（ｄ）は、この発明の実施の形態１に係る文字入力装置の具体的な動作例を示す説明図である。
【図３】この発明の実施の形態１に係る文字入力装置の文字入力時のディスプレイを示す説明図である。
【図４】この発明の実施の形態１に係る文字入力装置の文字入力時のディスプレイを示す別の説明図である。
【図５】この発明の実施の形態１に係る文字入力装置の文字入力時のディスプレイを示すさらに別の説明図である。
【図６】この発明の実施の形態２に係る文字入力装置のキー入力部が取り付けられた自動車のステアリングを示す斜視図である。
【図７】図６のキー入力部を示すブロック図である。
【符号の説明】
【００５８】
１  音声データベース、２  キー、２ａ  数字キー、２ｂ  「＊」キー、２ｃ  「変換」キー、２ｄ  「決定」キー、２ｅ  「♯」キー、３  キー入力部、４  ディスプレイ、５  音声処理部、６  スピーカ、７  制御部、７ａ  ＣＰＵ、７ｂ  メモリ、７ｃ  レジスタ、８  母音キー、９  決定キー、１０  子音キー。
【図１】
2006260210.tif 000003
【図２】
2006260210.tif 000004
【図３】
2006260210.tif 000005
【図４】
2006260210.tif 000006
【図５】
2006260210.tif 000007
【図６】
2006260210.tif 000008
【図７】
2006260210.tif 000009